(57)【要約】【課題】  時刻情報を用いることによって出荷された国に関する情報を簡単に、かつ正確に設定できるようにした画像形成装置および情報設定プログラムを提供する。【解決手段】  時刻指定部１０１、言語指定部１０２により指定された現在時刻および言語を元に、タイムゾーン指定部１０３で画像形成装置が設置された設置環境のタイムゾーンを指定する。タイムゾーンに所属する所属国に前記画像形成装置の使用が予定されている使用予定国が含まれている場合にはその使用予定国を第一候補とし、他の所属国および非所属国を第二候補、第三候補とした国一覧情報（リスト）をリスト作成部１０７で作成してこの国一覧情報を元に装置が設置された設置国を設置国特定部１０５で特定する。【選択図】  図１
2011065366.tif 000002
【特許請求の範囲】
【請求項１】
使用国における現在時刻を設定する時刻設定手段と、
前記時刻設定手段により設定された現在時刻と特定の標準時とに基づいて前記使用国が所属する特定の標準時区分帯を指定する区分帯指定手段と、
前記区分帯指定手段により指定された特定の標準時区分帯に属する所属国のうち、使用が予定されている使用予定国を特定候補上位として一覧にした国一覧情報から前記使用国を特定する使用国特定手段と
を具備する画像形成装置。
【請求項２】
前記標準時区分帯は、
世界標準時に基づいた世界標準時区分帯であり、
前記区分帯指定手段は、
前記現在時刻と前記世界標準時との時差に基づいて世界標準時区分帯を指定する請求項１記載の画像形成装置。
【請求項３】
前記使用国において使用する言語を設定する言語設定手段
を具備し、
前記使用国特定手段は、
前記言語設定手段によって設定された言語を使用する前記使用予定国を第一候補とし、該使用予定国以外で前記標準時区分帯に属する他の所属国を第二候補とし、前記第一候補に含まれず前記標準時区分帯に属しない非所属国を第三候補とした国一覧情報から前記使用国を特定する請求項１または２に記載の画像形成装置。
【請求項４】
前記国一覧情報に前記使用予定国が複数ある場合、表示器に当該使用予定国を特定候補上位として一覧表示する表示手段
を具備し、
前記特定手段は、
前記表示手段によって一覧表示された使用予定国から前記使用国を特定する請求項１乃至３のいずれかに記載の画像形成装置。
【請求項５】
前記特定手段は、
前記所属国一覧に属する所属国のうち前記使用予定国が一カ国である場合には、該使用予定国を前記使用国として特定する請求項１乃至４のいずれかに記載の画像形成装置。
【請求項６】
前記特定手段は、
操作者が前記使用国を選択することにより特定する請求項１乃至５のいずれかに記載の画像形成装置。
【請求項７】
前記特定手段によって特定された前記使用国以外の他の所属国を選択する選択手段と、
前記選択手段によって選択された前記他の所属国が属する前記標準時区分帯が前記指定手段によって指定されているかを判別する判別手段と、
前記判別手段で前記指定手段によって指定された前記標準時区分帯に前記他の所属国が属さないと判別することにより、前記時刻指定手段によって指定された前記現在時刻を修正する時刻修正手段と
を具備する請求項１乃至６のいずれかに記載の画像形成装置。
【請求項８】
コンピュータを、
使用国における現在時刻を設定する時刻設定手段、
前記時刻設定手段により設定された現在時刻と特定の標準時とに基づいて前記使用国が所属する特定の標準時区分帯を指定する区分帯指定手段、
前記区分帯指定手段により指定された特定の標準時区分帯に属する所属国のうち、使用が予定されている使用予定国を特定候補上位として一覧にした国一覧情報から前記使用国を特定する使用国特定手段
として機能させる情報設定プログラム。
【発明の詳細な説明】
【技術分野】
【０００１】
本発明は、画像形成装置および情報設定プログラムに関する。
【背景技術】
【０００２】
製造された画像形成装置を外国との商品流通において複数の国に出荷する場合には、その国の通信状態や規格に基づいて初期設定を行なうことが必要となる。
【０００３】
画像形成装置に搭載されたファクシミリ通信機能を出荷国において使用する場合にはその国の法律、規格に基づいて設定する必要があり、適当に設定されない場合には法令違反、通信の不成立等の自体が発生することとなる。
【０００４】
製造された画像形成装置を複数の国に対して出荷する場合には、通常、各種の設定項目に対する設定値を複数設けておき、その出荷された国、使用環境に応じた最適な設定を行なうことがある。このとき、任意の設定項目においてその国、使用環境に応じた設定値を選択する必要があるが、国、使用環境に応じた設定値が用意されていることから、その選択候補が膨大となることがある。
【０００５】
従来技術として開示された特許文献１では、製品が出荷された国が属するタイムゾーンごとの国や都市名を表示し、その表示された国や都市名を選択することを特徴としており、タイムゾーン特定情報として、都市の選択を容易にするものである。
【先行技術文献】
【特許文献】
【０００６】
【特許文献１】特開２００７-１３３５３９号公報
【発明の概要】
【発明が解決しようとする課題】
【０００７】
本発明は、時刻情報を用いることによって設置された国に関する情報を簡単に、かつ正確に設定できるようにした画像形成装置および情報設定プログラムを提供することを目的とする。
【課題を解決するための手段】
【０００８】
上記目的を達成するため、請求項１の発明は、使用国における現在時刻を設定する時刻設定手段と、前記時刻設定手段により設定された現在時刻と特定の標準時とに基づいて前記使用国が所属する特定の標準時区分帯を指定する区分帯指定手段と、前記区分帯指定手段により指定された特定の標準時区分帯に属する所属国のうち、使用が予定されている使用予定国を特定候補上位として一覧にした国一覧情報から前記使用国を特定する使用国特定手段とを具備する。
【０００９】
また、請求項２の発明は、請求項１の発明において、前記標準時区分帯は、世界標準時に基づいた世界標準時区分帯であり、前記区分帯指定手段は、前記現在時刻と前記世界標準時との時差に基づいて世界標準時区分帯を指定する。
【００１０】
また、請求項３の発明は、請求項１または２の発明において、記使用国において使用する言語を設定する言語設定手段を具備し、前記使用国特定手段は、前記言語設定手段によって設定された言語を使用する前記使用予定国を第一候補とし、該使用予定国以外で前記標準時区分帯に属する他の所属国を第二候補とし、前記第一候補に含まれず前記標準時区分帯に属しない非所属国を第三候補とした国一覧情報から前記使用国を特定する。
【００１１】
また、請求項４の発明は、請求項１乃至３のいずれかの発明において、前記国一覧情報に前記使用予定国が複数ある場合、表示器に当該使用予定国を特定候補上位として一覧表示する表示手段を具備し、前記特定手段は、前記表示手段によって一覧表示された使用予定国から前記使用国を特定する。
【００１２】
また、請求項５の発明は、請求項１乃至４のいずれかの発明において、前記特定手段は、前記所属国一覧に属する所属国のうち前記使用予定国が一カ国である場合には、該使用予定国を前記使用国として特定する。
【００１３】
また、請求項６の発明は、請求項１乃至５のいずれかの発明において、前記特定手段は、操作者が前記使用国を選択することにより特定する。
【００１４】
また、請求項７の発明は、請求項１乃至６のいずれかの発明において、前記特定手段によって特定された前記使用国以外の他の所属国を選択する選択手段と、前記選択手段によって選択された前記他の所属国が属する前記標準時区分帯が前記指定手段によって指定されているかを判別する判別手段と、前記判別手段で前記指定手段によって指定された前記標準時区分帯に前記他の所属国が属さないと判別することにより、前記時刻指定手段によって指定された前記現在時刻を修正する時刻修正手段とを具備する。
【００１５】
また、請求項８の発明は、コンピュータを、使用国における現在時刻を設定する時刻設定手段、前記時刻設定手段により設定された現在時刻と特定の標準時とに基づいて前記使用国が所属する特定の標準時区分帯を指定する区分帯指定手段、前記区分帯指定手段により指定された特定の標準時区分帯に属する所属国のうち、使用が予定されている使用予定国を特定候補上位として一覧にした国一覧情報から前記使用国を特定する使用国特定手段として機能させる。
【発明の効果】
【００１６】
本発明の請求項１によれば、時刻情報を用いることによって設置された国に関する情報を簡単に、かつ正確に設定できるようになるという効果を奏する。
【００１７】
また、請求項２によれば、時差に基づく時刻情報を用いることによって設置された国に関する情報を簡単に、かつ正確に設定できるようになるという効果を奏する。
【００１８】
また、請求項３によれば、指定された言語を用いることでより簡単にかつより正確に設置された国に関する情報を設定することができるようになるという効果を奏する。
【００１９】
また、請求項４によれば、少ない指定操作によって適当な使用国を設定することができるようになるという効果を奏する。
【００２０】
また、請求項５によれば、少なくとも時刻情報のみを指定することによって適当な使用国を設定することができるようになるという効果を奏する。
【００２１】
また、請求項６によれば、使用環境に応じた国に関する情報を簡単に設定できるようになるという効果を奏する。
【００２２】
また、請求項７によれば、間違えて時刻情報を指定した場合であっても用意にその修正を行なうことができるようになるという効果を奏する。
【００２３】
また、請求項８によれば、時刻情報を用いることによって設置された国に関する情報を簡単に、かつ正確に設定できるようになるという効果を奏する。
【図面の簡単な説明】
【００２４】
【図１】本発明の実施の形態における画像形成装置および情報設定プログラムを適用して構成した画像形成装置の装置構成図の一例。
【図２】本発明の実施の形態における画像形成装置で行なわれる詳細な処理の流れを示すフローチャート
【図３】本発明の実施の形態における画像形成装置で行なわれる詳細な処理の流れを示すフローチャート（続き）。
【図４】本発明の実施の形態における画像形成装置で行なわれる詳細な処理の流れを示すフローチャートの他の例
【図５】本発明の実施の形態における画像形成装置で行なわれる詳細な処理の流れを示すフローチャートの他の例（続き）。
【図６】世界標準時区分帯（タイムゾーン）とこのタイムゾーンに属する所属国を示すタイムゾーンテーブルを示す図。
【図７】各国で使用される言語を示した言語テーブルを示す図。
【図８】時刻指定画面を示す図。
【図９】言語指定画面を示す図。
【図１０】時刻修正画面を示す図。
【発明を実施するための形態】
【００２５】
以下、本発明に係わる画像形成装置および情報設定プログラムの一実施例を添付図面を参照して詳細に説明する。
【実施例】
【００２６】
図１は、本発明の実施の形態における画像形成装置および情報設定プログラムを適用して構成した画像形成装置の装置構成図の一例である。
【００２７】
図１において、画像形成装置は、時刻指定部１０１、言語指定部１０２、タイムゾーン指定部１０３、使用予定国存在判断部１０４、設置国特定部１０５、言語判断部１０６、リスト作成部１０７、選択操作部１０８、タイムゾーン判断部１０９、時刻確認要求部１１０、時刻修正部１１１を具備して構成される。
【００２８】
画像形成装置が設置される設置環境に基づく情報設定に際し、情報設定を行なう操作者が時刻指定部１０１を用いて設置環境における現在時刻を指定する。また、言語指定部１０２を用いて設置環境で使用される言語を指定する。
【００２９】
このとき、時刻指定部１０１では、操作者が図８に示すような時刻指定画面を用いて現在時刻を指定し、言語指定部１０２では、操作者が図９に示すような言語指定画面を用いて言語を指定する。この時刻指定部１０１、言語指定部１０２を用いて指定された現在時刻の情報および言語の情報は、設定情報管理部１２に登録され、画像形成装置の設定情報として管理される。
【００３０】
そして、これらが指定されると、時刻指定部１０１および言語指定部１０２は、タイムゾーン指定部１０３へと現在時刻および言語の情報を通知する。
【００３１】
タイムゾーン指定部１０３では、基準時刻として予め指定された特定の標準時（一般には「地方標準時」とも称される）を読み出し、この特定の標準時と時刻指定部１０１により指定された現在時刻とに基づいて画像形成装置を使用する使用国が所属する標準時区分帯（以下、「タイムゾーン」ともいう）を指定する。
【００３２】
なお、このタイムゾーン指定部１０３では、特定の標準時と時刻指定部１０１により指定された現在時刻とから標準時区分帯を指定する構成であるが、これ以外にもグリニッジ標準時（ＧＭＴ：Greenwich Mean Time）と称される世界標準時を読み出して、この世界標準時と時刻指定部１０１により指定された指定された現在時刻とから世界標準時区分帯（「タイムゾーン」）を指定するような構成であってもよい。
【００３３】
なお、画像形成装置が設置された設置国において使用される場合にはこの設置国が「使用国」となる。
【００３４】
以下では、世界標準時から世界標準時区分帯を指定した場合について説明する。
【００３５】
このタイムゾーンは、世界標準時と、この世界標準時および現在時刻の差分によって求められる時差の情報（以下、「時差情報」ともいう）とから構成される時刻区分であって、各タイムゾーンには世界標準時から同一の時差情報を有する国が指定されている。
【００３６】
すなわち、タイムゾーンを指定することによって画像形成装置が設置された設置国が絞り込まれることとなる。
【００３７】
そして、このタイムゾーン指定部１０３によって指定されたタイムゾーンの一例として、図６の[タイムゾーン（世界標準時区分帯）]項目６０１によって示されている。
【００３８】
図６は、タイムゾーンとそのタイムゾーンに所属する国名を対応付けたタイムゾーンテーブルの一例である。
【００３９】
このタイムゾーンテーブルは、[タイムゾーン（世界標準時区分帯）]項目６０１、[国名]項目６０２によって構成される。たとえば、[タイムゾーン（世界標準時区分帯）]項目６０１に「GMT 00:00」が示され、これに対応する[国名]項目６０２に「コートジボワール、ガンビア、ガーナ、ギニア、グリーンランド、セネガル、トーゴ、西サハラ、アイスランド、アイルランド、（イギリス）、スペイン、（ポルトガル）、ブルキナファソ、マリ、モーリタニア、モロッコ、リベリア」の１８カ国が示されている。
【００４０】
これは、世界標準時との時差情報が「00:00」であるタイムゾーンを示し、このタイムゾーンに所属する所属国が上記の１８カ国であることを示している。
【００４１】
同様に、[タイムゾーン（世界標準時区分帯）]項目６０１が「GMT-01:00」であって、これに対応する[国名]項目６０２が「カーボベルデ、グリーンランド」である場合には、世界標準時との時差情報が「マイナス１時間」のタイムゾーンであって、このタイムゾーンに所属する所属国が上記の２カ国であることを示している。
【００４２】
なお、[国名]項目６０２に示された各国の国名が括弧書きされている国は、画像形成装置が使用されることが予定されている国（以下、「使用予定国」という）であって、この使用予定国として、例えば画像形成装置が出荷される出荷国等が該当する。上記の図６に示す例では、「イギリス」と「ポルトガル」が使用予定国であることを示している。
【００４３】
このことから、タイムゾーンに所属する所属国には使用予定国が含まれる場合があることを示している。
【００４４】
このようなタイムゾーンがタイムゾーン指定部１０３によって指定されると、続いて、タイムゾーン指定部１０３は、使用予定国存在判断部１０４に対して処理要求を行ない、使用予定国存在判断部１０４は、そのタイムゾーンに所属する所属国に使用予定国が含まれているかを判断する。すなわち、図６に示すタイムゾーンテーブルを元に、括弧書きされている国が所属国に存在するかを判断する。
【００４５】
この使用予定国存在判断部１０４による判断処理によって、使用予定国が一カ国、含まれると判断した場合にはその一カ国の使用予定国の情報を設置国特定部１０５へと通知する。
【００４６】
このとき、設置国特定部１０５では、一カ国の使用予定国の情報を受信することによりその使用予定国を画像形成装置が設置された設置国であると特定し、設定情報管理部１１２へと設定する。
【００４７】
次に、使用予定国存在判断部１０４によって、複数の使用予定国がそのタイムゾーンの使用予定国に含まれると判断される場合には、言語判断部１０６にその旨を通知する。このとき、言語判断部１０６では、言語指定部１０２で指定された言語を使用する国が、指定された使用予定国に含まれるかを判断する。
【００４８】
言語指定部１０２では、指定された言語を使用する国が使用予定国に含まれるかの判断結果をリスト作成部１０７へと通知する。この言語判断部１０６では、図７に示すような言語テーブルに基づいて各国ごとに使用する言語を特定し、指定された言語と比較することによって、指定された言語に対応する言語対応国が使用予定国に含まれるかを判断する。
【００４９】
この判断結果が通知されたリスト作成部１０７では、言語対応国が使用予定国に含まれる場合に、その言語対応国を所定の表示順序で整列し、他の使用予定国を言語対応国以降に整列した第一一覧情報（以下、「リスト１」という）を作成する。また、言語対応国が使用予定国に含まれない場合には、全使用予定国をアルファベット順に整列した「リスト１」を作成する。
【００５０】
さらに、リスト作成部１０７では、指定されたタイムゾーンに上記の使用予定国以外の所属国が所属する場合にはその所属国を所定の表示順序で整列した第二一覧情報（以下、「リスト２」という）を作成する。またさらに、リスト２の所属国が所属するタイムゾーンに所属しない非所属国を所定の表示順序で整列した第三一覧情報（以下、「リスト３」という）を作成する。
【００５１】
このようにして、「リスト１、リスト２、リスト３」の３つの一覧情報が作成されると、リスト作成部１０７は、リスト１を第一候補とし、リスト２をリスト１以降の第二候補とし、リスト３をリスト２以降の第三候補として合成した国一覧情報を表示ディスプレイに表示する。
【００５２】
また、指定されたタイムゾーンに上記の使用予定国以外の所属国が所属しない場合に、リスト作成部１０７では、使用予定国をアルファベット順に整列したリスト１に含まれずそのタイムゾーンに含まれる他の所属国およびそのタイムゾーンに所属しない非所属国をこの順で整列した第四一覧情報（以下、「リスト４」という）を作成する。
【００５３】
そして、このリスト１を選択上位候補とし、リスト４をリスト１以降の選択候補として合成して表示ディスプレイに表示する。
【００５４】
このようにして表示ディスプレイに国の選択候補が表示された状態で、選択操作部１０８によっていずれかの国が選択されると、その選択された国の情報をタイムゾーン判断部１０９へと通知する。
【００５５】
タイムゾーン判断部１０９では、選択された国が時刻指定部１０１によって指定された現在時刻に基づくタイムゾーンに所属する所属国に含まれるかを判断する。この判断処理は、図６に示すようなタイムゾーンテーブルのタイムゾーンに対する国名に、選択された国名が存在するか判断する。
【００５６】
タイムゾーン判断部１０９によって、選択された国がタイムゾーンに所属する所属国であると判断した場合には、設置国特定部１０５へと通知する。このとき、設置国特定部１０５では、選択操作部１０８によって選択された国を設置国として特定する。
【００５７】
また、タイムゾーン判断部１０９によって、選択された国がタイムゾーンに所属する所属国でないと判断した場合には、時刻確認要求部１１０へと通知する。この時刻確認要求部１１０では、時刻指定部１０１で指定された現在時刻を操作者によって確認できる図１０に示すような時刻修正確認画面を表示ディスプレイに表示して現在時刻の確認を要求する。
【００５８】
これにより、その時刻修正確認画面によって時刻が修正されることが指示された場合（図１０に示すような画面で「する」が選択された場合）には、時刻修正部１１１へと通知し、時刻修正部１１１が表示ディスプレイに図８に示すような時刻の設定画面を表示して時刻を修正する。
【００５９】
そして、時刻修正部１１１によって現在時刻が修正されると、設定された現在時刻で設定情報管理部１１２に設定された現在時刻を修正する。
【００６０】
なお、時刻設定部１０１によって設定された現在時刻と時刻修正部１１１によって修正された時刻が異なることがあるが同一の時刻情報を示すことがある。すなわち、時刻設定部１０１によって設定された現在時刻から一定時刻を経過している場合には、その一定時刻分の時間差が生じた状態で修正されることとなる。
【００６１】
続いて、時刻修正確認画面によって時刻が修正されることが指示されない場合（図１０に示すような画面で「しない」が選択された場合）に、時刻確認要求部１１０は、選択操作部１０８へと通知する。このとき、選択操作部１０８では、指定された言語に対応する言語対応国と使用予定国からなるリスト１を第一候補とし、リスト２をリスト１以降の第二候補とし、リスト３をリスト２以降の第三候補として合成した国一覧情報の選択操作を受け付ける状態となる。
【００６２】
選択操作部１０８を操作者が操作することにより、国一覧情報から国が選択されると、その国に関する情報を設置国特定部１０５へと通知する。設置国特定部１０５では、その選択された国を画像形成装置の設置国として特定し、設定情報管理部１１２で設置環境に関する情報として管理する。
【００６３】
なお、上記には、使用予定国存在判断部１０４によって行なわれる判断処理によって、使用予定国が一カ国であると判断した場合にその一カ国を設置国として特定するような処理が示されているが、これに限定されることなく、以下のような処理を行なうような構成であってもよい。
【００６４】
使用予定国存在判断部１０４によって使用予定国が一カ国であると判断された場合、リスと作成部１０７へとその旨を通知し、リスト作成部１０７が、その一カ国を第一候補とし、その一カ国が所属するタイムゾーンの他の所属国およびそのタイムゾーンには所属しない非所属国をそれぞれ第二候補、第三候補とした国一覧情報（リスト）を作成する。そして、選択操作部１０８を用いて操作者がこの国一覧情報から選択するによって設置国特定部１０５で設置国を特定するような構成としてもよい。
【００６５】
図２および図３は、本発明の実施の形態における画像形成装置で行なわれる詳細な処理の流れを示すフローチャートである。
【００６６】
図２および図３において、画像形成装置が設置等され、その設置環境に基づく情報設定が行なわれると処理が開始される。
【００６７】
まず、その情報設定として、図８（ａ）および図８（ｂ）に示すような画面を用いて使用予定国における現在時刻（ＭＴ）を操作者がＵＩ（表示ディスプレイやポインティングデバイス等）を操作することによって指定する（２０１）と、予め設定されている世界標準時（ＧＭＴ）の読み出しを行なう（２０２）。
【００６８】
図８に示す画面は、現在時刻の指定画面であって、図８（ａ）は、４行１８列の文字表示領域からなる表示器（表示ディスプレイ）の一例であって、図８（ｂ）は、ＧＵＩにより表示する表示器（表示ディスプレイ）の一例である。
【００６９】
図８（ａ）に示す画面では、「時」、「分」、「秒」それぞれをポインディングデバイスで指定することにより表示された状態を示しており、図８（ｂ）に示す画面では、「時」、「分」、「秒」をタッチパネルとして入力して表示された状態を示している。なお、図８に示す画面では現在時刻を指定するような画面を示しているが、これ以外にも西暦、月、日付を設定できるように構成することも可能である。
【００７０】
このようにして現在時刻が指定されると、この指定された現在時刻と世界標準時とから、その現在時刻と世界標準時との時差を算出する（２０３）。
【００７１】
そして、この時差情報と世界標準時との情報に基づいて画像形成装置が設置される設置国の世界標準時区分帯（タイムゾーン）を指定する（２０４）。この世界標準時区分帯の一例を図６の[タイムゾーン（世界標準時区分帯）]項目６０１に示している。
【００７２】
すなわち、この世界標準時区分帯（タイムゾーン）を指定する処理によって、図６の[タイムゾーン（世界標準時区分帯）]項目６０１に示されたいずれかのタイムゾーンが指定されることになる。
【００７３】
この指定したタイムゾーンに所属している所属国に、画像形成装置の使用が予定されている使用予定国が含まれるかを判断する（２０５）。すなわち、図６の[タイムゾーン（世界標準時区分帯）]項目６０１に対応する[国名]項目６０２に表示されている所属国に、括弧書きがされて表示された状態にある使用予定国が含まれるかを判断する。
【００７４】
この括弧書きがされて表示された状態の使用予定国が含まれると判断されない場合（２０５でＮＯ）には、全タイムゾーンの[国名]項目６０２に表示されている国全てをアルファベット順に表示して（２０６）、操作者により選択された国を画像形成装置が設置された設置国と特定する（２２７）。
【００７５】
また、この括弧書きがされて表示された状態の使用予定国が含まれると判断される場合（２０５でＹＥＳ）には、続いて、その使用予定国が１つであるかを判断する（２０７）。
【００７６】
含まれる使用予定国が１つである場合（２０７でＹＥＳ）には、その使用予定国を画像形成装置が設置された設置国と特定する（２０８）。
【００７７】
なお、その使用予定国を設置国として特定するのではなく、その使用予定国を選択第一候補として一覧表示し、その使用予定国以外の他の所属国を第二候補以降に表示して操作者による設置国の選択を可能とするように構成してもよい。
【００７８】
続いて、タイムゾーンに所属している所属国に、複数の使用予定国が含まれる場合（２０７でＮＯ）には、その複数の使用予定国を所定の表示順序で整列することで第一一覧情報（リスト１）を作成する（２０９）。このときの表示順序は、アルファベット順で表示するほか、装置の製造時に登録した設置される予定割合に応じて予定割合が高い順に使用予定国を表示する。
【００７９】
使用予定国を一覧表示したリスト１が作成されると、続いて、指定されたタイムゾーンに使用予定国以外の他の所属国があるかを判断する（２１０）。他の所属国がない場合（２１０でＮＯ）には、そのタイムゾーンに所属しない非所属国を所定の表示順序で整列した第四一覧情報（リスト４）を作成する（２１４−１）。
【００８０】
そして、上記の処理により作成したリスト１を第一候補とし、リスト４を第二候補として合成した国一覧情報を表示ディスプレイに表示する（２１４−２）。
【００８１】
また、他の所属国がある場合（２１０でＹＥＳ）には、その他の所属国を所定の表示順序で整列した第二一覧情報（リスト２）を作成する（２１１）。もちろん、リスト１と同様、他の所属国をアルファベット順で表示するような構成であってもよい。さらに、指定されたタイムゾーンに所属しない非所属国を所定の表示順序で整列した第三一覧情報（リスト３）を作成する（２１２）。
【００８２】
これにより、リスト２およびリスト３が作成されると、上記のリスト１を第一候補とし、リスト２をリスト１以降の第二候補とし、リスト３をリスト２以降の第三候補として合成した国一覧情報を表示ディスプレイに表示する（２１３）。
【００８３】
このようにして国一覧情報が表示された状態で、続いて、リスト１の使用予定国が設置国として操作者により選択されたかを判断する（２１５）。リスト１の使用予定国が選択された場合（２１５でＹＥＳ）には、選択された使用予定国を画像形成装置が設置された設置国と特定する（２２１）。
【００８４】
それに対して、リスト１以外の所属国から設置国が選択された場合（２１５でＮＯ）には、続いて、タイムゾーンに所属しない非所属国が選択されたかを判断し（２１６）、タイムゾーンに所属しない非所属国が選択されたのでもない場合（２１６でＮＯ）、すなわちリスト２の所属国が選択された場合には、選択された所属国を画像形成装置が設置された所属国と特定する（２２２）。
【００８５】
また、世界標準時区分帯に所属しない非所属国が選択された場合（２１６でＹＥＳ）、すなわちリスト３の非所属国が選択された場合には、指定した現在時刻の確認要求を行なう（２１７）。
【００８６】
現在時刻の確認要求を行なうことにより、操作者が現在時刻を確認して現在時刻が修正されたかを判断する（２１８）。
【００８７】
このときの現在時刻を修正する修正画面の一例として図１０（ａ）若しくは図１０（ｂ）があって、これらの画面で現在時刻の修正を行なうことが指定されたかを判断する。
【００８８】
図１０（ａ）は、４行１８列の文字表示領域からなる表示器（表示ディスプレイ）の一例であって、図１０（ｂ）は、ＧＵＩにより表示する表示器（表示ディスプレイ）の一例である。
【００８９】
図１０（ａ）では、現在時刻の修正を行なう場合にはポインディングデバイスの「ｙ」ボタンを押下することが指示され、現在時刻の修正を行なわない場合にはポインティングデバイスの「ｎ」ボタンを押下することが指示されている。
【００９０】
また、図１０（ｂ）では、現在時刻を修正する場合には「する」ボタンを押下することが指示され、現在時刻の修正を行なわない場合には「しない」ボタンを押下することが指示されている。
【００９１】
この図１０に示す画面によって、現在時刻の修正を行なうことが指定された場合（２１８でＹＥＳ）には、現在時刻を修正する（２１９）。そして、選択された非所属国を画像形成装置が設置された所属国と特定する（２２０）。
【００９２】
それに対して、図１０（ａ）若しくは図１０（ｂ）に示すような画面で現在時刻の修正を行なわないことが指定された場合（２１８でＮＯ）には、図３に示す処理となり、選択された非所属国が、上記の処理によって指定された現在時刻に基づく世界標準時区分帯に所属する国でないことを操作者に確認する確認画面を表示する（２２３）。
【００９３】
この確認画面によって操作者が非所属国が正しいことを確認した場合（２２３でＹＥＳ）には、選択された非所属国を画像形成装置が設置された設置された設置国として特定する（２２６）。
【００９４】
また、確認画面で確認した結果、非所属国が間違っていることにより修正することを指示した場合（２２３でＮＯ）には、上記の処理によって作成したリスト１を選択上位候補とし、リスト２をリスト１以降の選択候補とし、リスト３をリスト２以降の選択候補として表示し（２２５）、選択された国を画像形成装置が設置された設置国と特定する（２２６）。
【００９５】
なお、設置国として特定されると、その設置国を画像形成装置に設定する処理を行なう。
【００９６】
図４および図５は、本発明の実施の形態における画像形成装置で行なわれる詳細な処理の流れを示すフローチャートの他の例である。
【００９７】
図４および図５は、それぞれ図２および図３に類似しており、図４において、画像形成装置が設置等されてその設置環境に基づく情報設定が行なわれると処理が開始される。
【００９８】
まず、その情報設定として、現在時刻（ＭＴ）およびその国における言語を指定する（４０１）。このとき、現在時刻は、図８（ａ）および図８（ｂ）に示すような画面を用いて操作者がＵＩ（表示ディスプレイやポインティングデバイス等）を操作することによって指定し、言語は、図９（ａ）および図９（ｂ）に示すような画面を用いて操作者がＵＩ（表示ディスプレイやポインティングデバイス等）を操作することによって指定する。
【００９９】
図８に示す画面は、現在時刻の指定画面であって、図８（ａ）は、４行１８列の文字表示領域からなる表示器（表示ディスプレイ）の一例であって、図８（ｂ）は、ＧＵＩにより表示する表示器（表示ディスプレイ）の一例である。
【０１００】
図８（ａ）に示す画面では、「時」、「分」、「秒」それぞれをポインディングデバイスで指定することにより表示された状態を示しており、図８（ｂ）に示す画面では、「時」、「分」、「秒」をタッチパネルとして入力して表示された状態を示している。なお、図８に示す画面では現在時刻を指定するような画面を示しているが、これ以外にも西暦、月、日付を設定できるように構成することも可能である。
【０１０１】
また、図９に示す画面は、言語の指定画面であって、図９（ａ）は、４行１８列の文字表示領域からなる表示器（表示ディスプレイ）の一例であって、図９（ｂ）は、ＧＵＩにより表示する表示器（表示ディスプレイ）の一例である。
【０１０２】
図９（ａ）に示す画面では、言語の選択候補として、３つの言語「English」、「French」、「Italian」が示されており、図９（ａ）では「Italian」にカーソルが合わせられた状態にある。また、図９（ｂ）に示す画面では、同様に「Italian」が選択された状態にあることを示している。
【０１０３】
図９（ａ）に示す指定画面ではポインティングデバイスの「確定」ボタン等を押下し、図９（ｂ）に示す指定画面ではＯＫボタンを押下することによって、言語を指定する。
【０１０４】
このようにして現在時刻および言語が指定されると、続いて、予め設定されている世界標準時（ＧＭＴ）の読み出しを行ない（４０２）、指定された現在時刻と世界標準時とから、その現在時刻と世界標準時との時差を算出する（４０３）。
【０１０５】
そして、この時差情報と世界標準時との情報に基づいて画像形成装置が設置される設置国におけるの世界標準時区分帯（タイムゾーン）を指定する（４０４）。この世界標準時区分帯の一例を図６の[タイムゾーン（世界標準時区分帯）]項目６０１に示している。
【０１０６】
すなわち、この世界標準時区分帯（タイムゾーン）を指定する処理によって、図６の[タイムゾーン（世界標準時区分帯）]項目６０１に示されたいずれかのタイムゾーンが指定されることになる。
【０１０７】
この指定したタイムゾーンに所属している所属国に、画像形成装置の使用が予定されている使用予定国が含まれるかを判断する（４０５）。すなわち、図６の[タイムゾーン（世界標準時区分帯）]項目６０１に対応する[国名]項目６０２に表示されている所属国に、括弧書きがされた状態にある使用予定国が含まれるかを判断する。
【０１０８】
この括弧書きがされて表示された状態の使用予定国が含まれると判断されない場合（４０５でＮＯ）には、全タイムゾーンの[国名]項目６０２に表示されている国全て（重複した所属国を除く）をアルファベット順に表示して（４０６）、表示された国のうちで選択された国を画像形成装置が設置された設置国と特定する（４０７）。
【０１０９】
それに対して、括弧書きがされて表示された状態の使用予定国が含まれると判断される場合（４０５でＹＥＳ）には、続いて、その使用予定国が１つであるかを判断する（４０８）。
【０１１０】
含まれる使用予定国が１つである場合（４０８でＹＥＳ）には、その使用予定国を画像形成装置が設置された設置国と特定する（４０９）。
【０１１１】
なお、その使用予定国を設置国として特定するのではなく、その使用予定国を第一候補として一覧表示し、その使用予定国以外の他の所属国を第二候補以降に表示して操作者による設置国の選択を可能とするように構成してもよい。
【０１１２】
続いて、タイムゾーンに所属している所属国に、複数の使用予定国が含まれる場合（４０８でＮＯ）には、指定された言語を公用語として対応付けがされている言語対応国が含まれるかを判断する（４１０）。
【０１１３】
この判断処理によって、言語対応国が使用予定国に含まれていると判断する場合（４１０でＹＥＳ）には、その言語対応国を所定の表示順序で整列し、言語対応国以外の他の使用予定国をそれ以降に整列した第一一覧情報（リスト１）を作成する（４１１）。このときの表示順序は、アルファベット順で表示するほか、装置の製造時に登録した各使用予定国ごとの設置割合に応じてその設置割合が高い順に表示する。
【０１１４】
それに対して、指定された言語に対応した言語対応国が含まれていない場合（４１０でＮＯ）には、指定された世界標準時区分帯に所属する所属国をアルファベット順に表記した第一一覧情報（リスト１）を作成する（４１２）。
【０１１５】
このようにしてリスト１が作成されると、続いて、指定されたタイムゾーンに使用予定国以外の他の所属国があるかを判断する（４１３）。他の所属国がない場合（４１３でＮＯ）には、そのタイムゾーンに所属しない非所属国を所定の表示順序で整列した第四一覧情報（リスト４）を作成する（４１７−１）。
【０１１６】
そして、上記の処理により作成したリスト１を第一候補とし、リスト４を第二候補として合成した国一覧情報を表示ディスプレイに表示する（４１７−２）。
【０１１７】
このときの表示ディスプレイには、「リスト１の国  →  リスト４の国」の順で表示される。
【０１１８】
続いて、タイムゾーンに使用予定国以外の他の所属国がある場合（４１３でＹＥＳ）には、その所属国を所定の表示順序で整列した第二一覧情報（リスト２）を作成する（４１４）。もちろん、リスト１と同様、他の所属国をアルファベット順で表示するような構成であってもよい。
【０１１９】
さらに、指定されたタイムゾーンに所属しない非所属国を所定の表示順序で整列した第三一覧情報（リスト３）を作成する（４１５）。
【０１２０】
このようにしてリスト２およびリスト３が作成されると、上記のリスト１を第一候補とし、リスト２をリスト１以降の第二候補とし、リスト３をリスト２以降の第三候補として合成した国一覧情報を表示ディスプレイに表示する（４１６）。
【０１２１】
このときの表示ディスプレイには、「リスト１の国  →  リスト２の国  →  リスト３の国」の順で表示される。
【０１２２】
このようにして国一覧情報が表示された状態で、リスト１の使用予定国が設置国として操作者により選択されたかを判断する（４１８）。リスト１の使用予定国が選択された場合（４１８でＹＥＳ）には、選択された使用予定国を画像形成装置が設置された設置国と特定する（４２４）。
【０１２３】
それに対して、リスト１以外の所属国から設置国が選択された場合（４１８でＮＯ）には、続いて、指定されたタイムゾーンに所属しない非所属国が選択されたかを判断し（４１９）、タイムゾーンに所属しない非所属国が選択されたのでもない場合（４１９でＮＯ）、すなわちリスト２のタイムゾーンに所属する所属国が選択された場合には、選択された所属国を画像形成装置が設置された所属国と特定する（４２５）。
【０１２４】
また、タイムゾーンに所属しない非所属国が選択された場合（４１９でＹＥＳ）、すなわちリスト３の非所属国が選択された場合には、指定された現在時刻の確認要求を行なう（４２０）。
【０１２５】
現在時刻の確認要求を行なうことにより、操作者が現在時刻を確認して現在時刻を修正することを受け付けたかを判断する（４２１）。
【０１２６】
このときの現在時刻を修正するか否かを操作者が操作する画面の一例を図１０に示しており、この図１０に示す画面を用いて現在時刻を修正することを受け付けたかを判断する。
【０１２７】
図１０には、４行１８列の文字表示領域からなる表示器（表示ディスプレイ）の一例である図１０（ａ）と、ＧＵＩにより表示する表示器（表示ディスプレイ）の一例である図１０（ｂ）を示している。
【０１２８】
図１０（ａ）では、現在時刻の修正を行なう場合にはポインディングデバイスの「ｙ」ボタンを押下することが指示され、現在時刻の修正を行なわない場合にはポインティングデバイスの「ｎ」ボタンを押下することが指示された画面を示している。
【０１２９】
また、図１０（ｂ）では、現在時刻を修正する場合には「する」ボタンを押下することが指示され、現在時刻の修正を行なわない場合には「しない」ボタンを押下することが指示された画面を示している。
【０１３０】
この図１０に示す画面によって、現在時刻の修正を行なうことが指定された場合（４２１でＹＥＳ）には、図８に示すような画面が表示され、この図８に示す画面を用いて現在時刻を修正する（４２２）。そして、選択された非所属国を画像形成装置が設置された所属国と特定する（４２３）。
【０１３１】
それに対して、図１０（ａ）若しくは図１０（ｂ）に示すような画面で現在時刻の修正を行なわないことが指定された場合（４２１でＮＯ）、図１０（ａ）に示す画面で「ｎ」ボタンが押下されたとき若しくは図１０（ｂ）に示す画面で「しない」ボタンが押下されたときには、図５に示す処理が行われる。
【０１３２】
まず、選択された非所属国が、上記の処理によって指定された現在時刻に基づく世界標準時区分帯に所属する国でないことを操作者に確認する確認画面を表示する（４２６）。
【０１３３】
この確認画面によって操作者が非所属国が正しいことを確認したかを判断し（４２７）、正しいことを確認した場合（４２７でＹＥＳ）には、選択された非所属国を画像形成装置が設置された設置された設置国として特定する（４２９）。このとき、現在時刻の情報は上記のステップ４０１で指定された現在時刻が設定された状態となる。
【０１３４】
また、確認画面で確認した結果、非所属国が間違っていること等により修正することを指示した場合（４２７でＮＯ）には、上記の処理によって作成したリスト１を第一候補とし、リスト２をリスト１以降の第二候補とし、リスト３をリスト２以降の第三候補として表示し（４２８）、選択された国を画像形成装置が設置された設置国と特定する（４２９）。
【０１３５】
なお、設置国として特定されると、その設置国を画像形成装置に設定する処理を行なう。
【０１３６】
以上に示す実施の形態は、本発明の実施の一形態であって、これらの実施例に限定することなく、その要旨を変更しない範囲内で適宜変形して実施できるものである。
【０１３７】
なお、本発明は、通信機能を備えた画像形成システムで上述の動作を実行させ、あるいは上述の手段を構成させるためのプログラムを格納した記録媒体（ＣＤ−ＲＯＭ、ＤＶＤ−ＲＯＭ等）から該プログラムをコンピュータにインストールし、これを実行させることにより、上述の処理を実行する画像形成システムを構成することも可能である。画像形成システムを構成するコンピュータは、システムバスを介してＣＰＵ（Central Processor Unit）、ＲＯＭ（Read Only Memory）、ＲＡＭ（Random Access Memory）、ハードディスクが接続されている。ＣＰＵは、ＲＯＭまたはハードディスクに記憶されているプログラムに従い、ＲＡＭを作業領域にして処理を行う。
【０１３８】
また、プログラムを供給するための媒体は、通信媒体（通信回線、通信システムのように一時的または流動的にプログラムを保持する媒体）でもよい。例えば、通信ネットワークの電子掲示板（ＢＢＳ：Bulletin Board Service）に該プログラムを掲示し、これを通信回線を介して配信するようにしてもよい。
【符号の説明】
【０１３９】
１０１        時刻指定部
１０２        言語指定部
１０３        タイムゾーン指定部
１０４        使用予定国存在判断部
１０５        設置国特定部
１０６        言語判断部
１０７        リスト作成部
１０８        選択操作部
１０９        タイムゾーン判断部
１１０        時刻確認要求部
１１１        時刻修正部
【図１】
2011065366.tif 000003
【図２】
2011065366.tif 000004
【図３】
2011065366.tif 000005
【図４】
2011065366.tif 000006
【図５】
2011065366.tif 000007
【図６】
2011065366.tif 000008
【図７】
2011065366.tif 000009
【図８】
2011065366.tif 000010
【図９】
2011065366.tif 000011
【図１０】
2011065366.tif 000012